【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
マトリクスを有する有機電子部品であって、該マトリクスが、ｐ−ドーパントとして、第１３〜１５族の主族金属錯体を含有し、ここで、該主族金属錯体が少なくとも一つの下記構造の配位子Ｌを含有する有機電子部品。
【化１】
2015526882.tif 000001
（式中、Ｒ１及びＲ２は、それぞれ独立に、酸素、硫黄、セレン、ＮＨ又はＮＲ４（ここで、Ｒ４は、アルキル及びアリールを含んでなる群から選ばれ、Ｒ３と結合していてもよい。）であり；Ｒ３は、アルキル、長鎖アルキル、アルコキシ、長鎖アルコキシ、シクロアルキル、ハロアルキル、アリール、アリーレン、ハロアリール、ヘテロアリール、ヘテロアリーレン、ヘテロシクロアルキレン、ヘテロシクロアルキル、ハロヘテロアリール、アルケニル、ハロアルケニル、アルキニル、ハロアルキニル、ケトアリール、ハロケトアリール、ケトヘテロアリール、ケトアルキル、ハロケトアルキル、ケトアルケニル及びハロケトアルケニルを含んでなる群から選ばれ、適切な基における一つ以上の隣接していないＣＨ２基は、独立に、−Ｏ−、−Ｓ−、−ＮＨ−、−ＮＲ０−、−ＳｉＲ０Ｒ００−、−ＣＯ−、−ＣＯＯ−、−ＯＣＯ−、−ＯＣＯ−Ｏ−、−ＳＯ２−、−Ｓ−ＣＯ−、−ＣＯ−Ｓ−、−ＣＹ１＝ＣＹ２又は−Ｃ≡Ｃ−によって、酸素又は硫黄原子がお互いに直接結合しないように、置換されていてもよく、同様に、アリール又はヘテロアリールで置換されていてもよい（末端ＣＨ３基は、ＣＨ２−Ｈという意味で、ＣＨ２基と見做される。
）。）
【請求項２】
前記金属が、ビスマス、スズ及びこれらの混合物を含んでなる群から選ばれる、請求項１に記載の部品。
【請求項３】
前記金属錯体が、ＭＬｍ（Ｍは金属、Ｌは配位子、ｍは１〜１０）の構造を有しており、ｍ＞１のとき、全ての配位子は互いに独立である、請求項１又は２に記載の部品。
【請求項４】
Ｒ３がハロアルキル、ハロアリール及びハロヘテロアリールを含んでなる群から選ばれる、請求項１〜３のいずれか１項に記載の部品。
【請求項５】
Ｒ３が下記式を含んでなる群から選ばれる請求項１〜４のいずれか１項に記載の部品。
【化２】
2015526882.tif 000002
（式中、Ｙ１〜Ｙ５は、それぞれ独立に、Ｃ−Ｆ、Ｃ−ＣＦ３、Ｃ−ＮＯ２、Ｃ−ＣＮ、Ｃ−ハロゲン、Ｃ−擬ハロゲン及びＮを含んでなる群から選ばれる。）
【請求項６】
Ｒ３が下記式を含んでなる群から選ばれる請求項１〜５のいずれか１項に記載の部品。
【化３】
2015526882.tif 000003
（式中、Ｙ１〜Ｙ７は、それぞれ独立に、Ｃ−Ｆ、Ｃ−ＣＦ３、Ｃ−ＮＯ２、Ｃ−ＣＮ、Ｃ−ハロゲン、Ｃ−擬ハロゲン及びＮを含んでなる群から選ばれる。）
【請求項７】
Ｒ３が下記式を含んでなる群から選ばれる請求項１〜６のいずれか１項に記載の部品。
【化４】
2015526882.tif 000004
（式中、Ｙ１〜Ｙ７は、それぞれ独立に、Ｃ−Ｆ、Ｃ−ＣＦ３、Ｃ−ＮＯ２、Ｃ−ＣＮ、Ｃ−ハロゲン、Ｃ−擬ハロゲン及びＮを含んでなる群から選ばれる。）
【請求項８】
前記金属錯体が、非置換の、部分的にフッ素化された又はパーフルオロ化された有機カルボン酸から成る群から選ばれる少なくとも一つの配位子Ｌを、含有する請求項１〜７のいずれか１項に記載の部品。
【請求項９】
前記金属錯体が、非置換の、部分的にフッ素化された又はパーフルオロ化された酢酸から成る群から選ばれる少なくとも一つの配位子Ｌを、含有する請求項１〜８のいずれか１項に記載の部品。
【請求項１０】
少なくとも一つの下記構造の配位子Ｌを含有する金属錯体（ここで、配位子Ｌは、置換された又は非置換の安息香酸であって、部分的にフッ素置換され又は全フッ素置換されており、前記金属はビスマス、スズ及びこれらの混合物の群から選ばれる。）
【化５】
2015526882.tif 000005
（式中、Ｒ１及びＲ２は、酸素であり、Ｒ３は、配位子Ｌが上記規定を満たすように選定される。）
【請求項１１】
前記金属がビスマスである請求項１０に記載の金属錯体。
【請求項１２】
前記配位子が、２−（トリフルオロメチル）安息香酸；３，５−ジフルオロ安息香酸；３−フルオロ―４−メチル安息香酸；３−（トリフルオロメトキシ）安息香酸；４−（トリフルオロメトキシ）安息香酸；４−クロロ−２，５−ジフルオロ安息香酸；２−クロロ−４，５−ジフルオロ安息香酸；２，４，５−トリフルオロ安息香酸；２−フルオロ安息香酸；４−フルオロ安息香酸；２，３，４−トリフルオロ安息香酸；２，３，５−トリフルオロ安息香酸；２，３−ジフルオロ安息香酸；２，４−ビス（トリフルオロメチル）安息香酸；２，４−ジフルオロ安息香酸；２，５−ジフルオロ安息香酸；２，６−ビス（トリフルオロメチル）安息香酸；２，６−ジフルオロ安息香酸；２−クロロ−６−フルオロ安息香酸；２−フルオロ−４−（トリフルオロメチル）安息香酸；２−フルオロ−５−（トリフルオロメチル）安息香酸；２−フルオロ−６−（トリフルオロメチル）安息香酸；３，４，５−トリフルオロ安息香酸；３，４−ジフルオロ安息香酸；３，５−ビス（トリフルオロメチル）安息香酸；３−（トリフルオロメチル）安息香酸；３−クロロ−４−フルオロ安息香酸；３−フルオロ−５−（トリフルオロメチル）安息香酸；３−フルオロ安息香酸；４−フルオロ−２−（トリフルオロメチル）安息香酸；４−フルオロ−３−（トリフルオロメチル）安息香酸；５−フルオロ−２−メチル安息香酸；２−（トリフルオロメトキシ）安息香酸；４−（トリフルオロメチル）安息香酸；ペンタフルオロ安息香酸；２，３，４，５−テトラフルオロ安息香酸を含んでなる群から、選ばれる請求項１又は２に記載の金属錯体。
【請求項１３】
前記配位子が３，５−ビス（トリフルオロメチル）安息香酸、３−（トリフルオロメチル）安息香酸、３，５−ジフルオロ安息香酸及びペンタフルオロ安息香酸を含んでなる群から選ばれる請求項１０〜１２のいずれか１項に記載の金属錯体。
【請求項１４】
前記配位子が有機電子部品のマトリクス材料のためのｐ−ドーパントである請求項１０〜１３のいずれか１項に記載の金属錯体。
【請求項１５】
少なくとも１つの下記構造の配位子Ｌを含有する第１３〜１５族主族金属錯体の、電子部品のマトリクス材料のためのｐ−ドーパントとしての、使用。
【化６】
2015526882.tif 000006
（式中、Ｒ１及びＲ２は、それぞれ独立に、酸素、硫黄、セレン、ＮＨ又はＮＲ４（ここで、Ｒ４は、アルキル及びアリールを含んでなる群から選ばれ、Ｒ３に結合していてもよい。）であり；Ｒ３は、アルキル、長鎖アルキル、アルコキシ、長鎖アルコキシ、シクロアルキル、ハロアルキル、アリール、アリーレン、ハロアリール、ヘテロアリール、ヘテロアリーレン、ヘテロシクロアルキレン、ヘテロシクロアルキル、ハロヘテロアリール、アルケニル、ハロアルケニル、アルキニル、ハロアルキニル、ケトアリール、ハロケトアリール、ケトヘテロアリール、ケトアルキル、ハロケトアルキル、ケトアルケニル及びハロケトアルケニルを含有してなる群から選ばれ、適切な基における一つ以上の隣接していないＣＨ２基は、独立に、−Ｏ−、−Ｓ−、−ＮＨ−、−ＮＲ０−、−ＳｉＲ０Ｒ００−、−ＣＯ−、−ＣＯＯ−、−ＯＣＯ−、−ＯＣＯ−Ｏ−、−ＳＯ２−、−Ｓ−ＣＯ−、−ＣＯ−Ｓ−、−ＣＹ１＝ＣＹ２又は−Ｃ≡Ｃ−によって、酸素又は硫黄原子がお互いに直接結合しないように、置換されていてもよく、同様に、アリール又はヘテロアリールで置換されていてもよい（末端ＣＨ３基は、ＣＨ２−Ｈという意味で、ＣＨ２基と見做される。）。）